(57)【特許請求の範囲】
【請求項１】
板状部材差込み部が正面側端縁部に設けられたハウジングと、
該ハウジングに配列配置され、上記板状部材差込み部を通じて上記ハウジングに差し込まれた配線板状部材における複数の接触端子部に夫々対応する位置をとるものとされる複数のコンタクトと、
上記ハウジングの背面側端縁部側に該ハウジングに対して回動可能に設けられて第１の静止位置と第２の静止位置とを選択的にとり、上記複数のコンタクトに係合して、上記配線板状部材が上記板状部材差込み部を通じて上記ハウジング内に差し込まれたもとで、上記第１の静止位置から上記第２の静止位置に移行せしめられるとき、上記複数のコンタクトの夫々に上記複数の接触端子部のうちの対応するものに対する押圧接触状態をとらせ、上記第２の静止位置から上記第１の静止位置に移行せしめられるとき、上記複数のコンタクトの夫々を上記複数の接触端子部のうちの対応するものに対する押圧接触状態から解放するアクチュエータと、
上記ハウジングに配され、上記アクチュエータにおける上記複数のコンタクトの配列方向の端部と上記板状部材差込み部を通じて上記ハウジングに差し込まれた配線板状部材との両者に係合する係合部材と、
を備えて構成され、
上記係合部材が、上記ハウジングに固定される第１のビーム部と、上記ハウジングに対して移動可能とされた第２のビーム部と、上記第１のビーム部と上記第２のビーム部とを相互連結する連結部とを有し、上記第２のビーム部の両端部に、上記アクチュエータの上記端部に設けられた突出部を上記板状部材差込み部を通じた配線板状部材の差込み方向と該差し込み方向及び上記複数のコンタクトの配列方向の両者に直交する方向との二方向から抑える屈曲部を成して上記アクチュエータの上記ハウジングからの離脱を防止する可動抑え部と、上記ハウジングに差し込まれた配線板状部材における係合部に係合して該配線板状部材を係止する鉤状部を成して上記配線板状部材の上記ハウジングからの抜脱を阻止する可動係止部とが夫々設けられており、
上記第２のビーム部が、上記可動係止部が形成された第１のアーム状部と上記可動抑え部が形成された第２のアーム状部とを上記連結部を挟んで配されたものとして有し、上記第１のアーム状部が上記第１のビーム部に対向する位置をとり、上記第２のアーム状部が上記第１のビーム部に対向する位置から外れた位置をとるものとされて、
上記係合部材が、上記ハウジングに上記背面側端縁部側から圧入されて、上記第２のアーム状部に形成された上記可動抑え部を上記アクチュエータの上記端部に設けられた突出部に係合させることを特徴とするコネクタ装置。
【請求項２】
上記アクチュエータの上記突出部がカム部を形成しており、該カム部が、上記アクチュエータの上記第１の静止位置から上記第２の静止位置への移行もしくは上記第２の静止位置から上記第１の静止位置への移行に伴って回動して、上記第２のビーム部に設けられた上記可動抑え部を変位させ、それにより、上記第２のビーム部に設けられた可動係止部に上記配線板状部材に対する係止を行う状態と該係止を解除する状態とを選択的にとらせることを特徴とする請求項１記載のコネクタ装置。
【請求項３】
上記係合部材が、上記ハウジングの上記複数のコンタクトの配列方向の両端部の夫々に配されたことを特徴とする請求項１記載のコネクタ装置。
【発明の詳細な説明】
【技術分野】
【０００１】
本願の特許請求の範囲に記載された発明は、フレキシブル印刷配線基板（ＦＰＣ）や平板状ケーブル（ＦＦＣ）等の配線板状部材に設けられた接触端子部を、固体印刷配線基板等とされる配線基板に電気的に接続された状態とするため、配線基板に連結されたもとで配線板状部材における接触端子部に押圧接触するコンタクトを備えたコネクタ装置に関する。
【背景技術】
【０００２】
各種の電子機器に実装される比較的小型なフレキシブル印刷配線基板や平板状ケーブル等の配線板状部材は、各種の電気部品が取り付けられる配線基板への取付けが、当該配線基板に電気的接続がなされて固定されたコネクタ装置が用いられて行われることが多いものとされる。このような配線板状部材の配線基板への取付けにあたって用いられるコネクタ装置は、配線板状部材に設けられた接触端子部に接触接続される導電性のコンタクトを有していて、そのコンタクトを介して、配線板状部材に設けられた接触端子部を配線基板に設けられた配線部に電気的に連結する。
【０００３】
従来提案されている、例えば、フレキシブル印刷配線基板とされる配線板状部材の配線基板への取付けに用いられるコネクタ装置は、配線板状部材が差し込まれる差込み部が設けられたものとされて配線基板に配される、絶縁材料によって形成されたハウジングを有したものとされる。そして、そのハウジングに配列配置されて設けられ、配線板状部材が差込み部を通じてハウジングに差し込まれたとき、その配線板状部材に設けられた複数の接触端子部に夫々対応するものとなる複数のコンタクトと、ハウジングに対して回動可能に設けられ、複数のコンタクトの夫々に係合して、回動せしめられるとき複数のコンタクトの夫々における作動部を変位させ、それにより複数のコンタクトを複数の接触端子部に夫々押圧接触させるアクチュエータとが備えられる。
【０００４】
アクチュエータは、全体が複数のコンタクトの配列方向に沿って伸びる細長形状をとり、カム部と操作部とが設けられていて、カム部において複数のコンタクトの夫々と係合し、操作部が操作されることにより、ハウジングに対して回動せしめられる。
【０００５】
複数のコンタクトの各々は、導電性の弾性材料で形成され、ハウジングに固定される部分である固定部と連結部により固定部に連結されて変位可能とされた部分である可動部とを有するものされる。そして、固定部は、ハウジングが配された配線基板における印刷配線部等の配線部に電気的に接続され、また、可動部は、配線板状部材に設けられた接触端子部に押圧接触する接触部が設けられたもとで、アクチュエータのカム部によって変位せしめられる。
【０００６】
斯かるコネクタ装置にあっては、配線基板に配されたハウジングに差込み部を通じて配線板状部材が差し込まれたもとで、アクチュエータが所定の方向に回動せしめられると、アクチュエータが、複数のコンタクトの夫々における可動部を変位させて、当該可動部の接触部に配線板状部材に設けられた複数の接触端子部のうちの対応するものに対する押圧接触状態をとらせる。また、複数のコンタクトの各々における可動部の接触部が配線板状部材に設けられた複数の接触端子部のうちの対応するもの押圧接触する状態をとるもとで、アクチュエータが上述の所定の方向とは逆の方向に回動せしめられると、アクチュエータが、複数のコンタクトの夫々における可動部を変位させて、当該可動部の接触部を配線板状部材に設けられた複数の接触端子部のうちの対応するものに対する押圧接触状態から解放する。
【０００７】
このようなもとで、ハウジングに対して回動可能とされるアクチュエータは、例えば、回動のための操作が加えられるとき等において、ハウジングからの不所望な離脱を生じないように設けられることが必要とされる。しかも、コネクタ装置は、通常、ハウジングが配された配線基板上において、当該配線基板の面に直交する方向の寸法である厚み方向寸法ができるだけ小となるようにされる、所謂、低背化を含めた全体の小型化が図られるものとされるので、全体寸法の増大をまねかない比較的簡単な構成をもって、アクチュエータがハウジングからの不所望な離脱を生じないものとされることが望まれる。
【０００８】
そのため、従来においては、アクチュエータがハウジングに配列配置された複数のコンタクトに係合するもとにおいて、コンタクトによりアクチュエータを係止して、アクチュエータのハウジングからの不所望な離脱を阻止しようとしたコネクタ装置が提案されている（例えば、特許文献１参照）。
【０００９】
特許文献１に示されるコネクタ装置においては、配線基板に固定されるハウジング（インシュレータ(30)) に、複数の第１のコンタクト（第１コンタクト(10)) と複数の第２のコンタクト（第２コンタクト(20)) とが交互に配列配置されて配されるとともに、複数の第１及び第２のコンタクトの夫々に係合するアクチュエータ（回転部材(40)) がハウジングに対して回動可能とされて、ハウジングから起き上がった位置とハウジングに対して伏した位置とを選択的にとるものとして備えられている。そして、複数の第１及び第２のコンタクトのうちの複数の第１のコンタクトの夫々に、アクチュエータを係止すべくそれに掛合する掛合部(11b) が形成されている。
【００１０】
複数の第１のコンタクトの夫々は、連結部（支点部（１2)) によって相互連結された上アーム部(11)と下アーム部(13)とを有していて、全体としてＨ字状を成しており、下アーム部がハウジングに固定されて、上アーム部が連結部を支点部分として揺動可能とされている。アクチュエータを係止すべくそれに掛合する第１のコンタクトにおける掛合部は、第１のコンタクトの上アーム部の一端部に形成されている。
【００１１】
一方、アクチュエータには、複数の第１のコンタクトの夫々に係合する部分に、掛合部(42a) が形成されており、このアクチュエータにおける掛合部に第１のコンタクトにおける掛合部が掛合している。それにより、アクチュエータのハウジングからの不所望な離脱の阻止が図られていることになる。
【先行技術文献】
【特許文献】
【００１２】
【特許文献１】特開２００４−３４２４２６号公報（段落００１０，００１１，００１８〜００２１、図３，６，７）
【発明の概要】
【発明が解決しようとする課題】
【００１３】
上述のように、ハウジングに、複数の第１のコンタクトと複数の第２のコンタクトとが交互に配列配置されて配されるとともに、複数の第１及び第２のコンタクトの夫々に係合するアクチュエータがハウジングに対して回動可能とされて、ハウジングから起き上がった位置とハウジングに対して伏した位置とを選択的にとるものとして備えられ、複数の第１及び第２のコンタクトのうちの複数の第１のコンタクトの夫々に、アクチュエータを係止すべくそれに掛合する掛合部が形成された従来のコネクタ装置にあっては、アクチュエータにおける第１のコンタクトの夫々に係合する部分に掛合部が形成されていて、それに第１のコンタクトにおける掛合部が掛合することにより、アクチュエータのハウジングからの不所望な離脱が阻止されることが期待されている。斯かるもとにおいては、アクチュエータのハウジングからの不所望な離脱の阻止に関して、次のような事柄が懸念されるところとなる。
【００１４】
アクチュエータに形成された掛合部が、アクチュエータのハウジングから起き上がった位置とハウジングに対して伏した位置との間での回動に伴って回動して、その姿勢を変化させるものであることから、アクチュエータに形成された掛合部に対する第１のコンタクトに形成された掛合部の掛合は、機械的に充分でかつ安定した相互係合状態をもたらすものとされず、アクチュエータにその回動のための操作が加えられるとき等において、相互係合状態を解除し易いものとされている。特に、アクチュエータに形成された掛合部の形状からして、アクチュエータがハウジングから起き上がった位置をとるもとにおいては、アクチュエータに形成された掛合部に対する第１のコンタクトに形成された掛合部の掛合が外れ易いものとなってしまう。
【００１５】
その結果、コンタクトにアクチュエータを係止すべくそれに掛合する掛合部が形成された従来のコネクタ装置にあっては、ハウジングに対して回動可能とされるアクチュエータに回動のための操作が加えられるとき等において、当該アクチュエータがハウジングからの不所望な離脱を生じさせないようにする作用効果が、適正かつ安定に得られているということはできない。
【００１６】
斯かる点に鑑み、本願の特許請求の範囲に記載された発明は、例えば、フレキシブル印刷配線基板等とされる配線板状部材の配線基板への取付けに用いられる、板状部材差込み部が設けられたハウジングと、ハウジングに配列配置されて設けられる複数のコンタクトと、回動可能に配されて複数のコンタクトの夫々に係合し、回動操作されて、複数のコンタクトの夫々に板状部材差込み部を通じてハウジングに差し込まれた配線板状部材における接触端子部に対する押圧接触状態をとらせる位置と、複数のコンタクトの夫々を上述の押圧接触状態から解放する位置とを選択的にとるアクチュエータと、を備えたコネクタ装置であって、全体寸法の増大をまねかない比較的簡単な構成をもって、アクチュエータのハウジングからの不所望な離脱を適正かつ確実に防止することができるものを提供する。
【課題を解決するための手段】
【００１７】
本願の特許請求の範囲における請求項１から請求項３までのいずれかに記載された発明（以下、本発明という。）に係るコネクタ装置は、板状部材差込み部が正面側端縁部に設けられたハウジングと、ハウジングに配列配置され、板状部材差込み部を通じてハウジングに差し込まれた配線板状部材における複数の接触端子部に夫々対応する位置をとるものとされる複数のコンタクトと、ハウジングの背面側端縁部側にハウジングに対して回動可能に設けられて第１の静止位置と第２の静止位置とを選択的にとり、複数のコンタクトに係合して、配線板状部材が板状部材差込み部を通じてハウジング内に差し込まれたもとで、第１の静止位置から第２の静止位置に移行せしめられるとき、複数のコンタクトの夫々に配線板状部材における複数の接触端子部のうちの対応するものに対する押圧接触状態をとらせ、第２の静止位置から第１の静止位置に移行せしめられるとき、複数のコンタクトの夫々を配線板状部材における複数の接触端子部のうちの対応するものに対する押圧接触状態から解放するアクチュエータと、ハウジングに配され、アクチュエータにおける複数のコンタクトの配列方向の端部と板状部材差込み部を通じてハウジングに差し込まれた配線板状部材との両者に係合する係合部材とを備えて構成される。そして、係合部材が、ハウジングに固定される第１のビーム部と、ハウジングに対して移動可能とされた第２のビーム部と、第１のビーム部と第２のビーム部とを相互連結する連結部とを有し、第２のビーム部の両端部に、アクチュエータの端部に設けられた突出部を板状部材差込み部を通じた配線板状部材の差込み方向とその差し込み方向及び複数のコンタクトの配列方向の両者に直交する方向との二方向から抑える屈曲部を成してアクチュエータのハウジングからの離脱を防止する可動抑え部と、ハウジングに差し込まれた配線板状部材における係合部に係合して配線板状部材を係止する鉤状部を成して配線板状部材のハウジングからの抜脱を阻止する可動係止部とが夫々設けられており、第２のビーム部が、可動係止部が形成された第１のアーム状部と可動抑え部が形成された第２のアーム状部とを連結部を挟んで配されたものとして有し、第１のアーム状部が第１のビーム部に対向する位置をとり、第２のアーム状部が第１のビーム部に対向する位置から外れた位置をとるものとされて、係合部材が、ハウジングにその背面側端縁部側から圧入されて、第２のアーム状部に形成された可動抑え部をアクチュエータの端部に設けられた突出部に係合させるものとされている。
【００１９】
上述のように構成される本発明に係るコネクタ装置は、実際に使用される際には、ハウジングが配線基板に配されたものとされる。そして、ハウジングにおける板状部材差込み部が設けられた端縁部が正面側端縁部であり、ハウジングにおける正面側端縁部に対向する反対側の端縁部が背面側端縁部である。
【００２０】
このような本発明に係るコネクタ装置にあっては、ハウジングが配線基板に配されたもとで、アクチュエータが第１の静止位置から第２の静止位置へと移行せしめられるべく回動操作される際には、アクチュエータは、例えば、ハウジングに対して起き上がった状態からハウジングに対してその背面側端縁部の背後側に伏した状態へと移行する。また、アクチュエータが第２の静止位置から第１の静止位置へと移行せしめられるべく回動操作される際には、アクチュエータは、例えば、ハウジングに対してその背面側端縁部の背後側に伏した状態からハウジングに対して起き上がった状態へと移行する。
【００２１】
このようにして、例えば、ハウジングに対して起き上がった状態とされる第１の静止位置及びハウジングの背面側端縁部の背後側に伏した状態とされる第２の静止位置を選択的にとるアクチュエータは、それにおける複数のコンタクトの配列方向の端部に係合部材が係合するものとされている。
【００２２】
そして、ハウジングに板状部材差込み部を通じて配線板状部材が差し込まれたもとで、アクチュエータが第１の静止位置から第２の静止位置へと移行せしめられるときには、アクチュエータが係合する複数のコンタクトの夫々が、ハウジングに差し込まれた配線板状部材における複数の接触端子部のうちの対応するものに対する押圧接触状態をとり、また、第２の静止位置から第１の静止位置に移行せしめられるときには、アクチュエータが係合する複数のコンタクトの夫々が、ハウジングに差し込まれた配線板状部材における複数の接触端子部のうちの対応するものに対する押圧接触状態から解放される。
【００２３】
このようにして複数のコンタクトが夫々押圧接触される複数の接触端子部が設けられた配線板状部材も、それに係合部材が係合するものとされている。
【００２４】
係合部材は、ハウジングに固定される第１のビーム部と、ハウジングに対して移動可能とされた第２のビーム部と、第１のビーム部と第２のビーム部とを相互連結する連結部とを有し、第２のビーム部の両端部に、アクチュエータの端部に設けられた突出部を、板状部材差込み部を通じた配線板状部材の差込み方向とその差し込み方向及び複数のコンタクトの配列方向の両者に直交する方向との二方向から抑える、屈曲部を成す可動抑え部と、ハウジングに差し込まれた配線板状部材における係合部に係合してその配線板状部材を係止する鉤状部を成す可動係止部とが夫々設けられたものとされる。そして、係合部材に形成された可動抑え部が、アクチュエータのハウジングからの離脱を防止するとともに、係合部材に形成された可動係止部が、配線板状部材のハウジングからの抜脱を阻止する。
【発明の効果】
【００２５】
本発明に係るコネクタ装置においては、上述のように、ハウジングに対して回動可能とされたアクチュエータが、それにおける複数のコンタクトの配列方向の端部に設られた突出部が、係合部材に形成された屈曲部を成す可動抑え部により、板状部材差込み部を通じた配線板状部材の差込み方向とその差し込み方向及び複数のコンタクトの配列方向の両者に直交する方向との二方向から抑えられるものとされ、それによりハウジングからの離脱が防止されるとともに、ハウジングに板状部材差込み部を通じて差し込まれた配線板状部材が、それにおける係合部に、係止部材に形成された鉤状部をなす可動係止部が係合することにより係止されるものとされ、それによりハウジングからの抜脱が阻止される。
【００２６】
従って、本発明に係るコネクタ装置によれば、ハウジングに配された係合部材によって、アクチュエータのハウジングからの離脱が防止されるとともに、ハウジングに板状部材差込み部を通じて差し込まれた配線板状部材のハウジングからの抜脱が阻止される。しかも、係合部材が、それに形成された可動抑え部がアクチュエータにおける複数のコンタクトの配列方向の端部に設けられた突出部を板状部材差込み部を通じた配線板状部材の差込み方向とその差し込み方向及び複数のコンタクトの配列方向の両者に直交する方向との二方向から抑える状態がとられるもとで、アクチュエータにおける複数のコンタクトの配列方向の端部に係合し、かつ、それに形成された可動係止部が配線板状部材における係合部に係合して配線板状部材を係止する状態がとられるもとで、配線板状部材に係合する。それにより、コネクタ装置の全体寸法の増大をまねかない比較的簡単な構成をもって、アクチュエータのハウジングからの離脱を適正かつ確実に防止でき、それに加えて、ハウジングに板状部材差込み部を通じて差し込まれた配線板状部材のハウジングからの抜脱を確実に阻止することができることになる。さらに、係合部材における第２のビーム部が、可動係止部が形成された第１のアーム状部と可動抑え部が形成された第２のアーム状部とを連結部を挟んで配されたものとして有し、第１のアーム状部が係合部材における第１のビーム部に対向する位置をとり、第２のアーム状部が第１のビーム部に対向する位置から外れた位置をとるものとされていることにより、係合部材が、ハウジングにその背面側端縁部側から圧入されて、第２のアーム状部に形成された可動抑え部をアクチュエータの突出部に係合させることができるものとされる。
【図面の簡単な説明】
【００２７】
【図１】本発明に係るコネクタ装置の一例を、それに装着されるフレキシブル印刷配線基板の部分と共に示す斜視図である。
【図２】本発明に係るコネクタ装置の一例を、それに装着されるフレキシブル印刷配線基板の部分と共に示す斜視図である。
【図３】本発明に係るコネクタ装置の一例を示す平面図である。
【図４】本発明に係るコネクタ装置の一例を示す正面図である。
【図５】本発明に係るコネクタ装置の一例を示す背面図である。
【図６】本発明に係るコネクタ装置の一例に備えられる係合部材の説明に供される部分斜視図である。
【図７】本発明に係るコネクタ装置の一例に備えられる係合部材の説明に供される部分斜視図である。
【図８】図３におけるVIII−VIII線断面を示す断面図である。
【図９】図３におけるIX−IX線断面を示す断面図である。
【図１０】図３における X−X 線断面を示す断面図である。
【図１１】本発明に係るコネクタ装置の一例が備える第１のコンタクトの説明に供される断面図である。
【図１２】本発明に係るコネクタ装置の一例が備える第２のコンタクトの説明に供される断面図である。
【図１３】本発明に係るコネクタ装置の一例が備える係合部材の説明に供される断面図である。
【発明を実施するための形態】
【００２８】
本発明を実施するための形態は、以下に述べられる本発明についての実施例をもって説明される。
【実施例】
【００２９】
図１（斜視図）及び図２（斜視図）は、本発明に係るコネクタ装置の一例を、それに装着される配線板状部材を成すフレキシブル印刷配線基板と共に示し、図３（平面図），図４（正面図）及び図５（背面図）は、本発明に係るコネクタ装置の一例を示す。
【００３０】
図１〜図５において、本発明に係るコネクタ装置の一例を成すコネクタ装置１０は、合成樹脂等の絶縁材料によって形成され、電子機器等の配線基板に配されるハウジング１１を備えている。ハウジング１１には、その正面側端縁部に板状部材差込み部１２が設けられており、板状部材差込み部１２からハウジング１１の内部へと板状部材収容部１３（後述される図８〜図１０に示されている。）が拡がっている。即ち、ハウジング１１には、その内部に、板状部材収容部１３が板状部材差込み部１２に連結されたものとして設けられているのである。
【００３１】
ハウジング１１が、例えば、電子機器等の配線基板に配されるときには、コネクタ装置１０の全体が当該配線基板に取り付けられたものとされる。そして、電子機器等の配線基板に配されたハウジング１１に、配線板状部材を成すフレキシブル印刷配線基板１５の一端部が、板状部材差込み部１２を通じてその内部へと差し込まれ、フレキシブル印刷配線基板１５が、ハウジング１１の内部に設けられた板状部材収容部１３に部分的に収容された状態におかれる。
【００３２】
ハウジング１１には、各々が弾性導電材料で形成された複数の第１のコンタクト１６と各々が弾性導電材料で形成された複数の第２のコンタクト１７とが、ハウジング１１の長手方向に沿う方向において交互に配される状態のもとに配列配置されて設けられている。複数の第１のコンタクト１６の夫々は、その大部分がハウジング１１の内部に収容されたものとされているが、図２及び図３に示されるように、一端部がハウジング１１における正面側端縁部に対向する背面側端縁部からその外部に突出して接続端子部１６ａを形成している。また、複数の第２のコンタクト１７の夫々も、その大部分がハウジング１１の内部に収容されたものとされているが、図１及び図３に示されるように、一端部がハウジング１１における正面側端縁部からその外部に突出して接続端子部１７ａを形成している。
【００３３】
フレキシブル印刷配線基板１５には、その一端部において、複数の第１の接触端子部１８と複数の第２の接触端子部１９とが、ハウジング１１に対する板状部材差込み部１２を通じた差込みまたは抜出し方向に直交する方向において交互に配される状態のもとに配列配置されている（以下、複数の第１の接触端子部１８と複数の第２の接触端子部１９とが配列配置されたフレキシブル印刷配線基板１５の一端部を端子端部という。）。また、フレキシブル印刷配線基板１５は、その端子端部に配列配置された複数の第１の接触端子部１８及び複数の第２の接触端子部１９をそれらの配列方向において挟むことになる、相互対向する側端部２０と側端部２１とを有しており、側端部２０に切欠き係合部２２が形成されているとともに、側端部２１に切欠き係合部２３が形成されている。
【００３４】
このようなフレキシブル印刷配線基板１５に対応して、複数の第１のコンタクト１６は、フレキシブル印刷配線基板１５に配列配置された複数の第１の接触端子部１８に夫々接触接続される信号用コンタクトとして設けられており、また、複数の第２のコンタクト１７が、フレキシブル印刷配線基板１５に配列配置された複数の第２の接触端子部１９に夫々接触接続される信号用コンタクトとして設けられている。但し、複数の第１のコンタクト１６及び複数の第２のコンタクト１７は、フレキシブル印刷配線基板１５とは別の他のフレキシブル印刷配線基板における複数の信号接続端子部及び接地接続部に接触接続される信号用及び接地用コンタクトとして用いられてもよい。
【００３５】
複数の第１のコンタクト１６及び複数の第２のコンタクト１７の配列方向 (以下、コンタクト配列方向という。）を長手方向とするハウジング１１は、板状部材差込み部１２を通じたフレキシブル印刷配線基板１５の差込みまたは抜出し方向を奥行き方向とし、その長手方向及び奥行き方向に直交する方向を厚み方向とするものとされる。そして、フレキシブル印刷配線基板１５は、板状部材差込み部１２を通じてハウジング１１に差し込まれるにあたっては、複数の第１の接触端子部１８及び複数の第２の接触端子部１９が配された面及びそれに対向する面が、ハウジング１１の厚み方向において相互対向する状態におかれる。
【００３６】
また、ハウジング１１における背面側端縁部側には、コンタクト配列方向、即ち、ハウジング１１の長手方向に沿って伸び、その長手方向がハウジング１１の長手方向に一致することになるアクチュエータ２５が、ハウジング１１に対して回動可能に設けられている。アクチュエータ２５は、図１〜図５に示されるような、ハウジング１１に対して起き上がった状態におかれるものとされる位置を、第１の静止位置としてとることができ、また、後述される図１１〜図１３に示されるような、ハウジング１１に対して伏した状態におかれるものとされる位置を、第２の静止位置としてとることができて、回動操作されることにより、第１の静止位置から第２の静止位置への移行、あるいは、第２の静止位置から第１の静止位置への移行を行うものとされている。
【００３７】
さらに、ハウジング１１には、その長手方向、即ち、コンタクト配列方向の両端部である端部２６及び端部２７に、各々の一部分をハウジング１１における背面側端縁部側からハウジング１１外に突出させる一対の係合部材３０及び３１が配されている。これら一対の係合部材３０及び３１の夫々は、例えば、弾性導電材料で形成されていて、係合部材３０がハウジング１１に設けられた溝部３２内に配される部分を有してハウジング１１により保持されており、また、係合部材３１がハウジング１１に設けられた溝部３３内に配される部分を有してハウジング１１により保持されている。
【００３８】
係合部材３０は、それについてのハウジング１１に組み付けられる前の状態が図６に示されるように、ハウジング１１に固定される第１のビーム部３５と、ハウジング１１に対して移動可能とされる第２のビーム部３６と、第１のビーム部３５と第２のビーム部３６とを相互連結する連結部３７とを有している。そして、第１のビーム部３５には、その一端部に接続端子部３８が形成されている。また、第２のビーム部３６は、連結部３７の一端部を挟んで配された第１のアーム状部３９と第２のアーム状部４０とを、各々が片持ち弾性片部を形成するものとして有している。それにより、各々が片持ち弾性片部を形成する第１のアーム状部３９と第２のアーム状部４０とが、連結部３７の一端部から、互いに反対側に位置するものとなるように伸びていることになる。
【００３９】
連結部３７の一端部から伸びる第１のアーム状部３９の先端部分に、鉤状部を成す可動係止部４１が形成されており、また、連結部３７の一端部から第１のアーム状部３９とは反対側に伸びる第２のアーム状部４０の先端部分に、屈曲部を成す可動抑え部４２が形成されている。従って、第１のアーム状部３９と第２のアーム状部４０とを有した第２のビーム部３６の両端部に、鉤状部を成す可動係止部４１と屈曲部を成す可動抑え部４２とが夫々形成されていることになる。
【００４０】
先端部分に可動係止部４１が形成された第１のアーム状部３９は、第１のビーム部３５に対向する位置をとって、第１のビーム部３５に対して近接もしくは離隔する変位を行い得るものとされている。また、先端部分に可動抑え部４２が形成された第２のアーム状部４０は、連結部３７の一端部からハウジング１１の長手方向における中央部分側となる方向に屈曲されて、第１のビーム部３５に対向する位置から若干外れた位置をとって、第１のビーム部３５に対して近接もしくは離隔する変位を行い得るものとされている。
【００４１】
このように、第１のビーム部３５，第２のビーム部３６及び連結部３７を有した係合部材３０は、図７、及び、図３におけるVIII−VIII線断面を示す図８に示されるように、ハウジング１１にその背面側端縁部側から圧入され、第１のビーム部３５の大部分，第２のビーム部３６の第１のアーム状部３９側の部分及び連結部３７がハウジング１１に設けられた溝部３２内に配されるようにして、ハウジング１１に組付けられる。そして、第１のビーム部３５に形成された接続端子部３８及び第２のビーム部３６における第２のアーム状部４０の先端部分に形成された可動抑え部４２は、ハウジング１１の背面側端縁部側からハウジング１１の外部へと突出する。
【００４２】
斯かるもとで、係合部材３０の第２のビーム部３６における第２のアーム状部４０の先端部分に形成された可動抑え部４２は、アクチュエータ２５におけるその長手方向、即ち、コンタクト配列方向の一端部に設けられた突出部４３を、ハウジング１１における奥行き方向及び厚み方向に夫々沿う方向となる互いに直交する二方向から抑える状態をとり、アクチュエータ２５のハウジング１１からの離脱を防止する。それにより、係合部材３０は、アクチュエータ２５におけるその長手方向、即ち、コンタクト配列方向の一端部に係合して、アクチュエータ２５のハウジング１１からの離脱を防止する役割を果たすことになる。
【００４３】
さらに、係合部材３０の第２のビーム部３６における第１のアーム状部３９の先端部分に形成された可動係止部４１は、ハウジング１１の内部に設けられた板状部材収容部１３内に位置する状態をとる。そして、配線板状部材を成すフレキシブル印刷配線基板１５の一端部が板状部材差込み部１２を通じてその内部へと差し込まれ、フレキシブル印刷配線基板１５が、ハウジング１１の内部に設けられた板状部材収容部１３に部分的に収容された状態におかれるときには、可動係止部４１がフレキシブル印刷配線基板１５の側端部２０に形成された切欠き係合部２２に係合してフレキシブル印刷配線基板１５を係止する。それにより、係合部材３０は、ハウジング１１に差し込まれたフレキシブル印刷配線基板１５を係止して、フレキシブル印刷配線基板１５のハウジング１１からの抜脱を阻止する役割も果たすことになる。
【００４４】
また、係合部材３１も、係合部材３０と同様に構成されており、係合部材３０における第１のビーム部３５, 第２のビーム部３６及び連結部３７に夫々相当する第１のビーム部, 第２のビーム部及び連結部を有している。第１のビーム部には、その一端部に接続端子部が形成されており、また、第２のビーム部は、係合部材３０における第１のアーム状部３９及び第２のアーム状部４０に夫々相当する第１のアーム状部及び第２のアーム状部を有している。
【００４５】
そして、第１のアーム状部の先端部分に、係合部材３０における可動係止部４１に相当する鉤状部を成す可動係止部が形成されており、また、第２のアーム状部の先端部分に、係合部材３０における可動抑え部４２に相当する屈曲部を成す可動抑え部が形成されている。従って、第１のアーム状部と第２のアーム状部とを有した第２のビーム部の両端部に、鉤状部を成す可動係止部と屈曲部を成す可動抑え部とが夫々形成されていることになる。そして、第２のアーム状部が、連結部の一端部からハウジング１１の長手方向における中央部分側となる方向に屈曲されて、第１のビーム部に対向する位置から若干外れた位置をとっている。
【００４６】
このような第１のビーム部，第２のビーム部及び連結部を有した係合部材３１も、ハウジング１１にその背面側端縁部側から圧入され、第１のビーム部の大部分，第２のビーム部の第１のアーム状部側の部分及び連結部がハウジング１１に設けられた溝部３３内に配されるようにして、ハウジング１１に組付けられる。そして、係合部材３１の第２のビーム部における第２のアーム状部の先端部分に形成された可動抑え部は、アクチュエータ２５におけるその長手方向、即ち、コンタクト配列方向の他端部に設けられた、アクチュエータ２５の一端部に設けられた突出部４３と対を成す突出部４４（図３に示されている。）を、ハウジング１１における奥行き方向及び厚み方向に夫々沿う方向となる互いに直交する二方向から抑える状態をとり、アクチュエータ２５のハウジング１１からの離脱を防止する。それにより、係合部材３１も、アクチュエータ２５におけるその長手方向、即ち、コンタクト配列方向の他端部に係合して、アクチュエータ２５のハウジング１１からの離脱を防止する役割を果たすことになる。
【００４７】
また、係合部材３１の第２のビーム部における第１のアーム状部の先端部分に形成された可動係止部は、ハウジング１１の内部に設けられた板状部材収容部１３内に位置する状態をとる。そして、配線板状部材を成すフレキシブル印刷配線基板１５の一端部が、板状部材差込み部１２を通じてその内部へと差し込まれ、フレキシブル印刷配線基板１５が、ハウジング１１の内部に設けられた板状部材収容部１３に部分的に収容された状態におかれるときには、係合部材３１における可動係止部がフレキシブル印刷配線基板１５の側端部２１に形成された切欠き係合部２３に係合してフレキシブル印刷配線基板１５を係止する。それにより、係合部材３１は、ハウジング１１に差し込まれたフレキシブル印刷配線基板１５を係止して、フレキシブル印刷配線基板１５のハウジング１１からの抜脱を阻止する役割も果たすことになる。
【００４８】
斯かるもとで、ハウジング１１に配列配置されて設けられる複数の第１のコンタクト１６の夫々は、図３におけるIX−IX線断面を示す図９に示されるように、弾性導電材料で形成された、全体として「エ」字状を成す板状部材とされている。このような「エ」字状とされた第１のコンタクト１６にあっては、連結部４５によって相互連結された一対のビーム部４６及び４７のうち、ビーム部４６が固定部とされて、ビーム部４７が作動部とされる。そして、固定部とされるビーム部４６の板状部材差込み部１２側の部分と作動部とされるビーム部４７の板状部材差込み部１２側の部分とは、ハウジング１１の厚み方向において相互対向するものとされてハウジング１１内の板状部材収容部１３に配されている。固定部とされるビーム部４６の一端部は、ハウジング１１の背面側端縁部からその外部に導出されて接続端子部１６ａを成すものとされており、ハウジング１１が配される、例えば、電子機器等の配線基板に設けられた配線部に接続される。
【００４９】
また、ハウジング１１に配列配置されて設けられる複数の第２のコンタクト１７の夫々も、図３における X−X 線断面を示す図１０に示されるように、弾性導電材料で形成された、全体として「エ」字状を成す板状部材とされている。このような「エ」字状とされた第２のコンタクト１７にあっては、連結部４８によって相互連結された一対のビーム部４９及び５０のうち、ビーム部４９が固定部とされて、ビーム部５０が作動部とされる。そして、固定部とされるビーム部４９の板状部材差込み部１２側の部分と作動部とされるビーム部５０の板状部材差込み部１２側の部分とは、ハウジング１１の厚み方向において相互対向するものとされてハウジング１１内の板状部材収容部１３に配されている。固定部とされるビーム部４９の一端部は、ハウジング１１の正面側端縁部からその外部に導出されて接続端子部１７ａを成すものとされており、ハウジング１１が配される、例えば、電子機器等の配線基板に設けられた配線部に接続される。
【００５０】
ハウジング１１に対して回動可能に配されたアクチュエータ２５には、図９及び図１０に示されるように、ハウジング１１内において複数の第１のコンタクト１６に夫々係合する複数のカム部５１及び複数の第２のコンタクト１７に夫々係合する複数のカム部５２が設けられている。複数のカム部５１の夫々は、複数の第１のコンタクト１６のうちの対応するものにおけるビーム部４６の接続端子部１６ａを成す一端部の近傍となる部分４６ａとそれに対向するビーム部４７の端部４７ａとに挟まれていて、アクチュエータ２５の回動に伴って回動する。また、複数のカム部５２の夫々は、複数の第２のコンタクト１７のうちの対応するものにおけるビーム部４９の端部４９ａとそれに対向するビーム部５０の端部５０ａとに挟まれていて、アクチュエータ２５の回動に伴って回動する。
【００５１】
また、アクチュエータ２５におけるその長手方向、即ち、コンタクト配列方向の両端部に夫々設けられた突出部４３及び４４の各々も、アクチュエータ２５の回動に伴って回動するカム部を成している。そして、カム部を成す突出部４３は、図８に示されるように、係合部材３０の第１のビーム部３５における接続端子部３８の近傍の部分３５ａと係合部材３０の第２のビーム部３６が有する第２のアーム状部４０における可動抑え部４２とに挟まれており、また、カム部を成す突出部４４は、係合部材３１の第１のビーム部における接続端子部の近傍の部分と係合部材３１の第２のビーム部が有する第２のアーム状部における可動抑え部とに挟まれている。
【００５２】
アクチュエータ２５が、図１〜図５に示されるように、第１の静止位置をとるもとにあっては、複数のカム部５１の夫々における断面差渡し径が極大となる極大寸法部以外の部分が、対応する第１のコンタクト１６におけるビーム部４６の部分４６ａとビーム部４７の端部４７ａとに当接する。斯かる状況のもとでは、複数のカム部５１の夫々に対応する第１のコンタクト１６は、固定部を成すビーム部４６の端部４６ｂと作動部を成すビーム部４７の端部４７ｂとが、ハウジング１１内の板状部材収容部１３において形成する相互間間隔を比較的大なるものに維持するものとされる。同様に、アクチュエータ２５が第１の静止位置をとるもとにあっては、複数のカム部５２の夫々における断面差渡し径が極大となる極大寸法部以外の部分が、対応する第２のコンタクト１７におけるビーム部４９の端部４９ａとビーム部５０の端部５０ａとに当接する。斯かる状況のもとでは、複数のカム部５２の夫々に対応する第２のコンタクト１７は、固定部を成すビーム部４９の接続端子部１７ａを成す一端部側の部分４９ｂと作動部を成すビーム部５０の端部５０ｂとが、ハウジング１１内の板状部材収容部１３において形成する相互間間隔を比較的大なるものに維持するものとされる。
【００５３】
さらに、アクチュエータ２５が第１の静止位置をとるもとにあっては、アクチュエータ２５に設けられたカム部を成す突出部４３が、それにおける断面差渡し径が極大となる極大寸法部以外の部分を、係合部材３０の第１のビーム部３５における接続端子部３８の近傍の部分３５ａと係合部材３０の第２のビーム部３６が有する第２のアーム状部４０における可動抑え部４２とに当接させる。斯かる状況のもとでは、係合部材３０は、第２のビーム部３６が有する第１のアーム状部３９における可動係止部４１が、第１のビーム部３５との間の間隔が比較的大となる位置をとるものとされる。同様に、アクチュエータ２５に設けられたカム部を成す突出部４４が、それにおける断面差渡し径が極大となる極大寸法部以外の部分を、係合部材３１の第１のビーム部における接続端子部の近傍の部分と係合部材３１の第２のビーム部が有する第２のアーム状部における可動抑え部とに当接させる。斯かる状況のもとでは、係合部材３１は、第２のビーム部が有する第１のアーム状部における可動係止部が、第１のビーム部との間の間隔が比較的大となる位置をとるものとされる。
【００５４】
このようなコネクタ装置１０にあっては、アクチュエータ２５が第１の静止位置をとるもとにおいて、図１及び図２に示される状態におかれた配線板状部材としてのフレキシブル印刷配線基板１５が、その端子端部をもって、ハウジング１１に、板状部材差込み部１２を通じて、ハウジング１１の長手方向に直交する奥行き方向に沿って差し込まれるものとされる。そして、フレキシブル印刷配線基板１５における端子端部のハウジング１１への板状部材差込み部１２を通じた差込みが完了すると、フレキシブル印刷配線基板１５における端子端部が、ハウジング１１に設けられた板状部材収容部１３に収容され、ハウジング１１に差し込まれたフレキシブル印刷配線基板１５が板状部材収容部１３に部分的に収容された状態とされる。このとき、板状部材収容部１３に部分的に収容されたフレキシブル印刷配線基板１５の端子端部は、板状部材収容部１３内において、複数の第１のコンタクト１６の夫々におけるビーム部４６の板状部材差込み部１２側の部分とビーム部４７の板状部材差込み部１２側の部分との間、及び、複数の第２のコンタクト１７の夫々におけるビーム部４９の板状部材差込み部１２側の部分とビーム部５０の板状部材差込み部１２側の部分との間に配される。
【００５５】
このようにして、フレキシブル印刷配線基板１５がハウジング１１内の板状部材収容部１３に部分的に収容されたもとにあっては、ハウジング１１に配列配置された複数の第１のコンタクト１６が、板状部材収容部１３に部分的に収容されたフレキシブル印刷配線基板１５における複数の第１の接触端子部１８に夫々適正に対応する位置をとるものとされるとともに、ハウジング１１に配列配置された複数の第２のコンタクト１７が、板状部材収容部１３に部分的に収容されたフレキシブル印刷配線基板１５における複数の第２の接触端子部１９に夫々適正に対応する位置をとるものとされる。さらに、係合部材３０の第２のビーム部３６における第１のアーム状部３９の先端部分に形成された可動係止部４１が、フレキシブル印刷配線基板１５における側端部２０に形成された切欠き係合部２２に適正に対応する位置をとるものとされ、また、係合部材３１の第２のビーム部における第１のアーム状部の先端部分に形成された可動係止部が、フレキシブル印刷配線基板１５における側端部２１に形成された切欠き係合部２３に適正に対応する位置をとるものとされる。
【００５６】
その後、アクチュエータ２５が、第１の静止位置から第２の静止位置へとハウジング１１に対して回動せしめられ、図１１〜図１３に示されるように、第２の静止位置をとるものとされると、板状部材収容部１３に部分的に収容されたフレキシブル印刷配線基板１５に対して、ハウジング１１に配列配置された複数の第１のコンタクト１６及び複数の第２のコンタクト１７が係合する状態がとられる。このような板状部材収容部１３に部分的に収容されたフレキシブル印刷配線基板１５に対する複数の第１のコンタクト１６及び複数の第２のコンタクト１７の係合は、複数の第１のコンタクト１６が、フレキシブル印刷配線基板１５における複数の第１の接触端子部１８に夫々押圧接触するものとされるとともに、複数の第２のコンタクト１７が、フレキシブル印刷配線基板１５における複数の第２の接触端子部１９に夫々押圧接触するものとされることによりなされる。
【００５７】
斯かる際においては、先ず、アクチュエータ２５が第１の静止位置をとり、ハウジング１１に板状部材差込み部１２を通じて差し込まれたフレキシブル印刷配線基板１５の端子端部が、ハウジング１１に設けられた板状部材収容部１３内において、複数の第１のコンタクト１６の夫々におけるビーム部４６の板状部材差込み部１２側の部分とビーム部４７の板状部材差込み部１２側の部分との間、及び、複数の第２のコンタクト１７の夫々におけるビーム部４９の板状部材差込み部１２側の部分とビーム部５０の板状部材差込み部１２側の部分との間に配されたもとにおいて、第１の静止位置をとるアクチュエータ２５が回動操作されることにより、第１の静止位置から第２の静止位置に移行すべく回動せしめられ、ハウジング１１に対して伏した状態におかれる。それにより、アクチュエータ２５の第１の静止位置から第２の静止位置への移行に伴って、図１１に示されるように、アクチュエータ２５に設けられた複数のカム部５１の夫々が、その極大寸法部を対応する第１のコンタクト１６における固定部を成すビーム部４６の部分４６ａと作動部を成すビーム部４７の端部４７ａとの両者に係合させる。
【００５８】
第１のコンタクト１６におけるビーム部４６の部分４６ａとビーム部４７の端部４７ａとの両者に係合するカム部５１の極大寸法部は、ビーム部４７の端部４７ａをビーム部４６の部分４６ａから離隔させる方向に変位させて、ビーム部４７に、仮にフレキシブル印刷配線基板１５の端子端部が板状部材収容部１３に収容されていないとすれば、ビーム部４６の端部４６ｂとビーム部４７の端部４７ｂとが板状部材収容部１３内において形成する相互間間隔を狭めるように変位させることになる応力を作用させる。それにより、ビーム部４７は、その端部４７ｂが板状部材収容部１３に収容されたフレキシブル印刷配線基板１５の端子端部における複数の第１の接触端子部１８のうちの対応するものに押圧接触することになり、複数の第１のコンタクト１６の夫々が、複数の第１の接触端子部１８のうちの対応するものに対する押圧接触状態におかれる。それにより、板状部材収容部１３に収容されたフレキシブル印刷配線基板１５の端子端部における複数の第１の接触端子部１８の夫々が、対応する第１のコンタクト１６を通じて、ハウジング１１が配された配線基板に設けられた配線部に電気的に接続されることになる。
【００５９】
また、アクチュエータ２５の第１の静止位置から第２の静止位置への移行に伴って、図１２に示されるように、アクチュエータ２５に設けられた複数のカム部５２の夫々が、その極大寸法部を対応する第２のコンタクト１７における固定部を成すビーム部４９の端部４９ａと作動部を成すビーム部５０の端部５０ａとの両者に係合させる。
【００６０】
第２のコンタクト１７におけるビーム部４９の端部４９ａとビーム部５０の端部５０ａとの両者に係合するカム部５２の極大寸法部は、ビーム部５０の端部５０ａをビーム部４９の端部４９ａから離隔させる方向に変位させて、ビーム部５０に、仮にフレキシブル印刷配線基板１５の端子端部が板状部材収容部１３に収容されていないとすれば、ビーム部４９の部分４９ｂとビーム部５０の端部５０ｂとが板状部材収容部１３内において形成する相互間間隔を狭めるように変位させることになる応力を作用させる。それにより、ビーム部５０は、その端部５０ｂが板状部材収容部１３に収容されたフレキシブル印刷配線基板１５の端子端部における複数の第２の接触端子部１９のうちの対応するものに押圧接触することになり、複数の第２のコンタクト１７の夫々が、複数の第２の接触端子部１９のうちの対応するものに対する押圧接触状態におかれる。それにより、板状部材収容部１３に収容されたフレキシブル印刷配線基板１５の端子端部における複数の第２の接触端子部１９の夫々が、対応する第２のコンタクト１７を通じて、ハウジング１１が配された配線基板に設けられた配線部に電気的に接続されることになる。
【００６１】
さらに、アクチュエータ２５の第１の静止位置から第２の静止位置への移行に伴って、図１３に示されるように、アクチュエータ２５の一端部に設けられたカム部を成す突出部４３が、その極大寸法部を係合部材３０の第１のビーム部３５における部分３５ａと係合部材３０の第２のビーム部３６における第２のアーム状部４０の先端部分に形成された可動抑え部４２との両者に係合させる。
【００６２】
係合部材３０の第１のビーム部３５における部分３５ａと係合部材３０の第２のビーム部３６における第２のアーム状部４０の先端部分に形成された可動抑え部４２との両者に係合するカム部を成す突出部４３の極大寸法部は、第２のビーム部３６における第２のアーム状部４０の先端部分に形成された可動抑え部４２を第１のビーム部３５における部分３５ａから離隔させる方向に変位させて、第２のビーム部３６に、その第１のアーム状部３９の先端部分に形成された可動係止部４１を、第１のビーム部３５に近接させる応力を作用させる。それにより、係合部材３０の第２のビーム部３６における第１のアーム状部３９の先端部分に形成された可動係止部４１が、板状部材収容部１３に部分的に収容されたフレキシブル印刷配線基板１５の側端部２０に形成された切欠き係合部２２に係合して、フレキシブル印刷配線基板１５を係止する。その結果、係合部材３０が、ハウジング１１に差し込まれたフレキシブル印刷配線基板１５を係止して、フレキシブル印刷配線基板１５のハウジング１１からの抜脱を阻止する状態をとる。
【００６３】
同様に、アクチュエータ２５の第１の静止位置から第２の静止位置への移行に伴って、アクチュエータ２５の他端部に設けられたカム部を成す突出部４４が、その極大寸法部を係合部材３１の第１のビーム部における、係合部材３０における部分３５ａに相当する部分と、係合部材３１の第２のビーム部における第２のアーム状部の先端部分に形成された可動抑え部と、の両者に係合させる。
【００６４】
係合部材３１の第１のビーム部における部分と係合部材３１の第２のビーム部における第２のアーム状部の先端部分に形成された可動抑え部との両者に係合するカム部を成す突出部４４の極大寸法部は、第２のビーム部における第２のアーム状部の先端部分に形成された可動抑え部を第１のビーム部における、係合部材３０における部分３５ａに相当する部分から離隔させる方向に変位させて、第２のビーム部に、その第１のアーム状部の先端部分に形成された可動係止部を、第１のビーム部に近接させる応力を作用させる。それにより、係合部材３１の第２のビーム部における第１のアーム状部の先端部分に形成された可動係止部が、板状部材収容部１３に部分的に収容されたフレキシブル印刷配線基板１５の側端部２１に形成された切欠き係合部２３に係合して、フレキシブル印刷配線基板１５を係止する。その結果、係合部材３１が、ハウジング１１に差し込まれたフレキシブル印刷配線基板１５を係止して、フレキシブル印刷配線基板１５のハウジング１１からの抜脱を阻止する状態をとる。
【００６５】
その後、コネクタ装置１０は、必要に応じて、第２の静止位置をとるアクチュエータ２５を、複数の第１のコンタクト１６の夫々をフレキシブル印刷配線基板１５の端子端部における複数の第１の接触端子部１８のうちの対応するものに対する押圧接触状態から解放するとともに、複数の第２のコンタクト１７の夫々をフレキシブル印刷配線基板１５の端子端部における複数の第２の接触端子部１９のうちの対応するものに対する押圧接触状態から解放すべく、第１の静止位置に移行させることになる状態におかれる。
【００６６】
第２の静止位置をとるアクチュエータ２５が第１の静止位置に移行せしめられる際には、第２の静止位置をとるアクチュエータ２５が、回動操作されて、第２の静止位置から第１の静止位置に移行すべく回動せしめられ、ハウジング１１に対して起き上がった状態におかれる。それにより、アクチュエータ２５の第２の静止位置から第１の静止位置への移行に伴って、アクチュエータ２５に設けられた複数のカム部５１の夫々が、その極大寸法部以外の部分を対応する第１のコンタクト１６における固定部を成すビーム部４６の部分４６ａと作動部を成すビーム部４７の端部４７ａとの両者に係合させる。
【００６７】
第１のコンタクト１６におけるビーム部４６の部分４６ａとビーム部４７の端部４７ａとの両者に係合するカム部５１の極大寸法部以外の部分は、ビーム部４７に、ビーム部４６の端部４６ｂとビーム部４７の端部４７ｂとが板状部材収容部１３内において形成する相互間間隔を広げる方向に変位しようとする状態をとらせ、それにより、ビーム部４７の端部４７ｂが、板状部材収容部１３に収容されたフレキシブル印刷配線基板１５の端子端部における複数の第１の接触端子部１８のうちの対応するものに押圧接触する状態から解放される。
【００６８】
また、アクチュエータ２５の第２の静止位置から第１の静止位置への移行に伴って、アクチュエータ２５に設けられた複数のカム部５２の夫々が、その極大寸法部以外の部分を対応する第２のコンタクト１７における固定部を成すビーム部４９の端部４９ａと作動部を成すビーム部５０の端部５０ａとの両者に係合させる。第２のコンタクト１７におけるビーム部４９の端部４９ａとビーム部５０の端部５０ａとの両者に係合するカム部５２の極大寸法部以外の部分は、ビーム部５０に、ビーム部４９の部分４９ｂとビーム部５０の端部５０ｂとが板状部材収容部１３内において形成する相互間間隔を広げる方向に変位しようとする状態をとらせ、それにより、ビーム部５０の端部５０ｂが、板状部材収容部１３に収容されたフレキシブル印刷配線基板１５の端子端部における複数の第２の接触端子部１９のうちの対応するものに押圧接触する状態から解放される。
【００６９】
さらに、アクチュエータ２５の第２の静止位置から第１の静止位置への移行に伴って、アクチュエータ２５の一端部に設けられたカム部を成す突出部４３が、その極大寸法部以外の部分を係合部材３０の第１のビーム部３５における部分３５ａと係合部材３０の第２のビーム部３６における第２のアーム状部４０の先端部分に形成された可動抑え部４２との両者に係合させる。
【００７０】
係合部材３０の第１のビーム部３５における部分３５ａと係合部材３０の第２のビーム部３６における第２のアーム状部４０の先端部分に形成された可動抑え部４２との両者に係合するカム部を成す突出部４３の極大寸法部以外の部分は、第２のビーム部３６に、その第１のアーム状部３９の先端部分に形成された可動係止部４１を、第１のビーム部３５から離隔させる変位を生じさせる。それにより、係合部材３０の第２のビーム部３６における第１のアーム状部３９の先端部分に形成された可動係止部４１が、板状部材収容部１３に部分的に収容されたフレキシブル印刷配線基板１５の側端部２０に形成された切欠き係合部２２との係合を解除して、フレキシブル印刷配線基板１５を係止状態から解放する。
【００７１】
同様に、アクチュエータ２５の第２の静止位置から第１の静止位置への移行に伴って、アクチュエータ２５の他端部に設けられたカム部を成す突出部４４が、その極大寸法部以外の部分を係合部材３１の第１のビーム部における、係合部材３０における部分３５ａに相当する部分と、係合部材３１の第２のビーム部における第２のアーム状部の先端部分に形成された可動抑え部と、の両者に係合させる。
【００７２】
係合部材３１の第１のビーム部における、係合部材３０における部分３５ａに相当する部分と、係合部材３１の第２のビーム部における第２のアーム状部の先端部分に形成された可動抑え部と、の両者に係合するカム部を成す突出部４４の極大寸法部以外の部分は、第２のビーム部に、その第１のアーム状部の先端部分に形成された可動係止部を、第１のビーム部から離隔させる変位を生じさせる。それにより、係合部材３１の第２のビーム部における第１のアーム状部の先端部分に形成された可動係止部が、板状部材収容部１３に部分的に収容されたフレキシブル印刷配線基板１５の側端部２１に形成された切欠き係合部２３との係合を解除して、フレキシブル印刷配線基板１５を係止状態から解放する。
【００７３】
その結果、ハウジング１１に差し込まれたフレキシブル印刷配線基板１５が、ハウジング１１から適正に引き出され得る状態におかれる。
【００７４】
上述のように、コネクタ装置１０にあっては、ハウジング１１に対して回動可能とされたアクチュエータ２５が、それにおけるコンタクト配列方向の両端部に夫々係合する係合部材３０及び３１により、例えば、係合部材３０に形成された可動抑え部４２及び係合部材３１に形成された可動抑え部の夫々が、アクチュエータ２５におけるコンタクト配列方向の端部に設けられた突出部４３もしくは突出部４４を互いに直交する二方向から抑える状態がとられて、ハウジング１１からの離脱が防止されるものとされるとともに、ハウジング１１に板状部材差込み部１２を通じて差し込まれたフレキシブル印刷配線基板１５が、それを係止する係合部材３０及び３１により、例えば、係合部材３０に形成された可動係止部４１がフレキシブル印刷配線基板１５における切欠き係合部２２に係合するとともに、係合部材３１に形成された可動係止部がフレキシブル印刷配線基板１５における切欠き係合部２３に係合する状態がとられて係止され、ハウジング１１からの抜脱が阻止されるものとされる。
【００７５】
従って、コネクタ装置１０によれば、ハウジング１１に配された係合部材３０及び３１によって、アクチュエータ２５のハウジング１１からの離脱が防止されるとともに、ハウジング１１に板状部材差込み部１２を通じて差し込まれたフレキシブル印刷配線基板１５のハウジング１１からの抜脱が阻止される。しかも、係合部材３０及び３１が、例えば、係合部材３０に形成された可動抑え部４２及び係合部材３１に形成された可動抑え部の夫々が、アクチュエータ２５におけるコンタクト配列方向の端部に設けられた突出部４３もしくは突出部４４を互いに直交する二方向から抑える状態がとられるもとで、アクチュエータ２５におけるコンタクト配列方向の両端部に係合し、かつ、例えば、係合部材３０に形成された可動係止部４１及び係合部材３１に形成された可動係止部がフレキシブル印刷配線基板１５における切欠き係合部２２及び２３に夫々係合する状態がとられるもとで、フレキシブル印刷配線基板１５を係止する。それにより、コネクタ装置１０の全体寸法の増大をまねかない比較的簡単な構成をもって、アクチュエータ２５のハウジング１１からの離脱を適正かつ確実に防止でき、それに加えて、ハウジング１１に板状部材差込み部１２を通じて差し込まれたフレキシブル印刷配線基板１５のハウジング１１からの抜脱を確実に阻止することができることになる。
【産業上の利用可能性】
【００７６】
以上のような本発明に係るコネクタ装置は、フレキシブル印刷配線基板等とされる配線板状部材の他の配線基板への取付けに用いられる、板状部材差込み部が設けられたハウジングと、ハウジングに配列配置されて設けられた複数のコンタクトと、ハウジングに対して回動可能に設けられて複数のコンタクトに係合するアクチュエータとを備えたコネクタ装置であって、全体寸法の増大をまねかない比較的簡単な構成をもって、アクチュエータのハウジングからの不所望な離脱を適正かつ確実に防止することができるものとして、様々な電子機器等に広く適用され得るものである。
【符号の説明】
【００７７】
１０・・・コネクタ装置，  １１・・・ハウジング，  １２・・・板状部材差込み部，  １３・・・板状部材収容部，  １５・・・フレキシブル印刷配線基板，  １６・・・第１のコンタクト，  １７・・・第２のコンタクト，  １８・・・第１の接触端子部，  １９・・・第２の接触端子部，  ２２，２３・・・切欠き係合部，  ２５・・・アクチュエータ，  ３０, ３１・・・係合部材，  ３２，３３・・・溝部，  ３５・・・第１のビーム部，  ３６・・・第２のビーム部，  ３７，４５，４８・・・連結部，  ３８・・・接続端子部，  ３９・・・第１のアーム状部，  ４０・・・第２のアーム状部，  ４１・・・可動係止部，  ４２・・・可動抑え部，  ４３，４４・・・突出部，  ４６，４７，４９，５０・・・ビーム部，  ５１，５２・・・カム部
【図１】
0005621999.tif 000002
【図２】
0005621999.tif 000003
【図３】
0005621999.tif 000004
【図４】
0005621999.tif 000005
【図５】
0005621999.tif 000006
【図６】
0005621999.tif 000007
【図７】
0005621999.tif 000008
【図８】
0005621999.tif 000009
【図９】
0005621999.tif 000010
【図１０】
0005621999.tif 000011
【図１１】
0005621999.tif 000012
【図１２】
0005621999.tif 000013
【図１３】
0005621999.tif 000014